(57)【要約】フローベースのQoS制御でも、シーケンスを複雑化することなく、Dual Connectivity（DC）を実現し得る無線通信システム、ネットワーク装置及び無線通信方法を提供する。無線通信方法は、MeNB210が、設定要求に基づいて、第１トンネル及び第２トンネルを用いたベアラを設定するベアラ設定指示を送信するステップと、CN-UP300が、ベアラ設定指示に基づいて、第１トンネル及び第２トンネルを設定するステップとを含む。CN-UP300は、第１トンネルのCN-UP300側のTEIDと、第２トンネルのCN-UP300側のTEIDとに同一の識別子を設定する。
2018066702.tif 000002
【特許請求の範囲】
【請求項１】
ユーザ装置と無線通信を実行するとともに、前記ユーザ装置とセカンダリ無線基地局との無線通信を制御するマスター無線基地局と、
前記マスター無線基地局との第１トンネル、及び前記セカンダリ無線基地局との第２トンネルを含むベアラを設定するネットワーク装置とを含む無線通信システムであって、
前記マスター無線基地局は、前記ベアラの設定要求を受信し、前記設定要求に基づいて、前記第１トンネル及び前記第２トンネルを用いた前記ベアラを設定するベアラ設定指示を送信するベアラ制御部を備え、
前記ネットワーク装置は、前記ベアラ設定指示に基づいて、前記第１トンネル及び前記第２トンネルを設定するトンネル設定部を備え、
前記トンネル設定部は、前記第１トンネルの前記ネットワーク装置側の第１トンネル・エンドポイント識別子と、前記第２トンネルの前記ネットワーク装置側の第２トンネル・エンドポイント識別子とに同一の識別子を設定する無線通信システム。
【請求項２】
前記ベアラは、
前記ユーザ装置と前記マスター無線基地局との間、及び前記ユーザ装置と前記セカンダリ無線基地局との間において設定されるデータ無線ベアラと、
前記マスター無線基地局と前記ネットワーク装置との間、及び前記セカンダリ無線基地局と前記ネットワーク装置との間において設定されるコアネットワークベアラとを少なくとも含み、
前記マスター無線基地局は、前記データ無線ベアラ及び前記コアネットワークベアラに対して同一の識別子を設定するベアラ設定部を備える請求項１に記載の無線通信システム。
【請求項３】
前記無線通信システムでは、前記ベアラを介して伝送されるIPフローの優先度を示すフロー優先度識別子を用いた優先制御が実行され、
前記ネットワーク装置は、前記第１トンネル及び前記第２トンネルに対して、前記フロー優先度識別子が異なる前記IPフローをそれぞれスケジューリングする通信制御部を備える請求項１に記載の無線通信システム。
【請求項４】
ユーザ装置と無線通信を実行するとともに、前記ユーザ装置とセカンダリ無線基地局との無線通信を制御するマスター無線基地局との第１トンネル、及び前記セカンダリ無線基地局との第２トンネルを含むベアラを設定するネットワーク装置であって、
前記第１トンネル及び前記第２トンネルを用いた前記ベアラを設定するベアラ設定指示に基づいて、前記第１トンネル及び前記第２トンネルを設定するトンネル設定部を備え、
前記トンネル設定部は、前記第１トンネルの前記ネットワーク装置側の第１トンネル・エンドポイント識別子と、前記第２トンネルの前記ネットワーク装置側の第２トンネル・エンドポイント識別子とに同一の識別子を設定するネットワーク装置。
【請求項５】
ユーザ装置と無線通信を実行するとともに、前記ユーザ装置とセカンダリ無線基地局との無線通信を制御するマスター無線基地局と、
前記マスター無線基地局との第１トンネル、及び前記セカンダリ無線基地局との第２トンネルを含むベアラを設定するネットワーク装置とを用いた無線通信方法であって、
前記マスター無線基地局が、前記ベアラの設定要求を受信し、前記設定要求に基づいて、前記第１トンネル及び前記第２トンネルを用いた前記ベアラを設定するベアラ設定指示を送信するステップと、
前記ネットワーク装置が、前記ベアラ設定指示に基づいて、前記第１トンネル及び前記第２トンネルを設定するステップとを含み、
前記第１トンネル及び前記第２トンネルを設定するステップでは、前記第１トンネルの前記ネットワーク装置側の第１トンネル・エンドポイント識別子と、前記第２トンネルの前記ネットワーク装置側の第２トンネル・エンドポイント識別子とに同一の識別子を設定する無線通信方法。
【発明の詳細な説明】
【技術分野】
【０００１】
本発明は、マスター無線基地局及びセカンダリ無線基地局を含む無線通信システム、ネットワーク装置及び無線通信方法に関する。
【背景技術】
【０００２】
3rd Generation Partnership Project（3GPP）は、Long Term Evolution（LTE）の更なる高速化を目的としてLTE-Advanced（以下、LTE-Advancedを含めてLTEという）を仕様化している。3GPPでは、さらに、5G（5th generation mobile communication system）などと呼ばれる新無線（NR: New Radio）及び次世代システム（NGS: Next Generation System）の仕様が検討されている。【０００３】
このような次世代システムの仕様の検討において、フローベースのQoS（Quality of Service）フレームワークが提案されている（例えば、非特許文献１）。具体的には、IPフローの優先度を示すFlow Priority Indicator（FPI）に基づいて、システム内で設定される論理的な通信路であるEPSベアラ（NGSベアラ）へのIPフローのスケジューリング及び優先制御が実行される。【０００４】
また、LTEは、ユーザ装置（UE）がMaster Cell Group（MCG）及びSecondary Cell Group（SCG）を介して通信を実行するDual Connectivity（DC）を規定している（例えば、非特許文献２）。DCでは、MCGを構成するMeNBと、コアネットワーク上のネットワーク装置（Serving Gateway（SGW））との間、及びSCGを構成するSeNBと、SGWとの間において、それぞれトンネル（例えば、GTPトンネル）が設定される。また、設定された当該トンネルを用いたEPSベアラが設定される。【０００５】
具体的には、NRのコアネットワークへの接続に関して、MeNBまたはSeNBの一方をLTEに接続し、他方をNRに接続する構成が検討されている。次世代コアネットワーク（NGC: NextGen Core Network或いは5GC: 5G Core Networkと呼ばれる）に接続する場合、SGWに代わり、CN-UPと呼ばれるユーザプレーンを提供する機能エンティティへのトンネルが設定される。
【先行技術文献】
【非特許文献】
【０００６】
【非特許文献１】3GPP TR 23.799 V1.0.2 Section 8.2 “Interim Agreements on Key Issue #2: QoS framework”, 3rd Generation Partnership Project; Technical Specification Group Services and System Aspects; Study on Architecture for Next Generation System(Release 14)、3GPP、2016年10月
【非特許文献２】TS 36.300 V13.4.0 Section 6.5 “Dual Connectivity”, 3rd Generation Partnership Project; Technical Specification Group Radio Access Network; Evolved Universal Terrestrial Radio Access (E-UTRA) and Evolved Universal Terrestrial Radio Access Network (E-UTRAN); Overall description; Stage 2 (Release 13)、3GPP、2016年6月
【発明の概要】
【０００７】
上述したように、フローベースのQoS制御が導入された場合、IPフロー毎にQoS制御が実行される。EPSベアラは、データ無線ベアラ（DRB）と、コアネットワークベアラ（具体的には、S1ベアラ及びS5/S8ベアラ）とによって構成されるが、フローベースのQoS制御の場合、従来のベアラベースのQoS制御のように、QoSレベルに応じたデータ無線ベアラとコアネットワークベアラとの１対１の対応付けは存在しない。
【０００８】
このため、Dual Connectivity（DC）が実行される場合、コアネットワーク上のネットワーク装置、具体的には、CN-CPと呼ばれる制御プレーンを提供する機能エンティティは、SeNBと、CN-UPと呼ばれるユーザプレーンを提供する機能エンティティとの間に、PDNトンネル及びコアネットワークベアラ（S1ベアラ）を設定すべきか否かを認識することができない問題が生じる。
【０００９】
従来のベアラベースのQoS制御では、データ無線ベアラとコアネットワークベアラとの１対１の対応付けが存在するため、ネットワーク装置（Mobility Management Entity（MME））は、DCが実行される場合、SeNBとSGWとの間にトンネル及びコアネットワークベアラ（S1ベアラ）を設定すべきことを認識できる。
【００１０】
勿論、フローベースのQoS制御が導入された場合でも、MeNBとCN-CPとが、SeNBとCN-UPとの間にトンネル及びコアネットワークベアラを設定するためのシーケンスを追加することによって、上述した問題を解決することができるが、シーケンスが複雑化するとともに、既存のシーケンスを大幅に変更する必要がある。
【００１１】
そこで、本発明は、このような状況に鑑みてなされたものであり、フローベースのQoS制御でも、シーケンスを複雑化することなく、Dual Connectivity（DC）を実現し得る無線通信システム、ネットワーク装置及び無線通信方法の提供を目的とする。
【課題を解決するための手段】
【００１２】
本発明の一態様に係る無線通信システムは、ユーザ装置と無線通信を実行するとともに、前記ユーザ装置とセカンダリ無線基地局との無線通信を制御するマスター無線基地局と、前記マスター無線基地局との第１トンネル、及び前記セカンダリ無線基地局との第２トンネルを含むベアラを設定するネットワーク装置とを含む。【００１３】
前記マスター無線基地局は、前記ベアラの設定要求を受信し、前記設定要求に基づいて、前記第１トンネル及び前記第２トンネルを用いた前記ベアラを設定するベアラ設定指示を送信するベアラ制御部を備える。前記ネットワーク装置は、前記ベアラ設定指示に基づいて、前記第１トンネル及び前記第２トンネルを設定するトンネル設定部を備える。【００１４】
前記トンネル設定部は、前記第１トンネルの前記ネットワーク装置側の第１トンネル・エンドポイント識別子と、前記第２トンネルの前記ネットワーク装置側の第２トンネル・エンドポイント識別子とに同一の識別子を設定する。【００１５】
本発明の一態様に係るネットワーク装置は、ユーザ装置と無線通信を実行するとともに、前記ユーザ装置とセカンダリ無線基地局との無線通信を制御するマスター無線基地局との第１トンネル、及び前記セカンダリ無線基地局との第２トンネルを含むベアラを設定する。前記ネットワーク装置は、前記第１トンネル及び前記第２トンネルを用いた前記ベアラを設定するベアラ設定指示に基づいて、前記第１トンネル及び前記第２トンネルを設定するトンネル設定部を備える。前記トンネル設定部は、前記第１トンネルの前記ネットワーク装置側の第１トンネル・エンドポイント識別子と、前記第２トンネルの前記ネットワーク装置側の第２トンネル・エンドポイント識別子とに同一の識別子を設定する。【００１６】
本発明の一態様に係る無線通信方法は、ユーザ装置と無線通信を実行するとともに、前記ユーザ装置とセカンダリ無線基地局との無線通信を制御するマスター無線基地局と、前記マスター無線基地局との第１トンネル、及び前記セカンダリ無線基地局との第２トンネルを含むベアラを設定するネットワーク装置とを用いる。前記無線通信方法は、前記マスター無線基地局が、前記ベアラの設定要求を受信し、前記設定要求に基づいて、前記第１トンネル及び前記第２トンネルを用いた前記ベアラを設定するベアラ設定指示を送信するステップと、前記ネットワーク装置が、前記ベアラ設定指示に基づいて、前記第１トンネル及び前記第２トンネルを設定するステップとを含む。前記第１トンネル及び前記第２トンネルを設定するステップでは、前記第１トンネルの前記ネットワーク装置側の第１トンネル・エンドポイント識別子と、前記第２トンネルの前記ネットワーク装置側の第２トンネル・エンドポイント識別子とに同一の識別子を設定する。
【図面の簡単な説明】
【００１７】
【図１】図１は、無線通信システム10の全体概略構成図である。
【図２】図２は、無線通信システム10において設定されるベアラ及びトンネルの構成を示す図である。
【図３】図３は、EPSベアラ（NGSベアラ）の構成の表現例を示す図である。
【図４】図４は、MeNB210の機能ブロック構成図である。
【図５】図５は、SeNB220の機能ブロック構成図である。
【図６】図６は、CN-UP300の機能ブロック構成図である。
【図７】図７は、無線通信システム10においてEPSベアラ（NGSベアラ）を設定する基本シーケンスを示す図である。
【図８】図８は、コアネットワーク主導によってPDNトンネル（第２トンネル）を追加するシーケンスを示す図である。
【図９】図９は、無線アクセスネットワーク主導によってPDNトンネル（第２トンネル）を追加するシーケンスを示す図である。
【図１０】図１０は、無線アクセスネットワーク主導によってPDNトンネル（第２トンネル）を削除するシーケンスを示す図である。
【図１１】図１１は、コアネットワーク主導によってPDNトンネル（第２トンネル）を削除するシーケンスを示す図である。
【図１２】図１２は、コアネットワーク主導によってPDNトンネル（第２トンネル）を追加するシーケンス（ユーザプレーンベース）を示す図である。
【図１３】図１３は、MeNB210、SeNB220及びCN-UP300のハードウェア構成の一例を示す図である。
【発明を実施するための形態】
【００１８】
以下、実施形態を図面に基づいて説明する。なお、同一の機能や構成には、同一または類似の符号を付して、その説明を適宜省略する。
【００１９】
（１）無線通信システムの全体概略構成
図１は、本実施形態に係る無線通信システム10の全体概略構成図である。無線通信システム10は、Long Term Evolution（LTE）の後継システムである「5G」に従った無線通信システムである。なお、無線通信システム10は、FRA（Future Radio Access）、次世代システム（NGS）或いは5Gシステム（5GS）などと呼ばれてもよい。
【００２０】
図１に示すように、無線通信システム10は、ユーザ装置100（以下、UE100）、マスター無線基地局210（以下、MeNB210）、セカンダリ無線基地局220（以下、SeNB220）、コアネットワークユーザプレーン機能300（以下、CN-UP300）、及びコアネットワーク制御プレーン機能400, 410（以下、CN-CP400, CN-CP410）を含む。
【００２１】
UE100は、MeNB210及びSeNB220と無線通信を実行する。具体的には、UE100は、3rd Generation Partnership Project（3GPP）において規定されるDual Connectivity（DC）に対応している。UE100は、MeNB210が形成するセルのグループであるMaster Cell Group（MCG）、及びSeNB220が形成するセルのグループであるSecondary Cell Group（SCG）を介して無線通信を実行する。また、MeNB210及びSeNB220によって、無線アクセスネットワークが構成される。
【００２２】
MeNB210は、上述したように、UE100と無線通信を実行する。また、MeNB210は、UE100とSeNB220との無線通信を制御する。MeNB210は、X2インタフェースによってSeNB220と接続される。
【００２３】
SeNB220も上述したように、UE100と無線通信を実行する。具体的には、SeNB220は、MeNB210による制御に基づいてUE100と無線通信を実行する。
【００２４】
CN-UP300、CN-CP400及びCN-CP410は、無線通信システム10のコアネットワークを形成する。CN-UP300は、MeNB210及びSeNB220とS1インタフェースによって接続される。なお、CN-UP300は、User Plane Functionと呼ばれてもよい。
【００２５】
また、CN-CP400は、MeNB210とS1インタフェースによって接続される。なお、CN-CP400は、Access and Mobility Management Function（AMF）及びSession Management Function（SMF）と呼ばれる機能エンティティに分かれてもよく、AMF/SMFと呼ばれてもよい。
【００２６】
CN-UP300は、無線通信システム10におけるユーザプレーン機能を提供する。本実施形態において、CN-UP300は、ネットワーク装置を構成する。CN-CP400及びCN-CP410は、無線通信システム10における制御プレーン機能を提供する。
【００２７】
つまり、無線通信システム10のコアネットワークでは、UE100、MeNB210及びSeNB220などの制御を実現する制御プレーンの機能と、ユーザデータの送受信などを実現するユーザプレーンの機能とが明確に分離された形態（CUPS: C/U plane separation）が採用されている。
【００２８】
CN-CP400は、UE100の在圏ネットワーク（VPLMN）に設けられる。CN-CP410は、UE100のホームネットワーク（HPLMN）に設けられる。なお、CN-CP410は、Session Management Function（SMF）と呼ばれてもよい。
【００２９】
CN-UP300及びCN-CP400, 410は、Mobility Management Entity（MME）、Serving Gateway（SGW）、PDN Gateway（PGW）及びTraffic Detection Function（TDF）などによって構成することができる。
【００３０】
CN-UP300は、外部ネットワーク20に接続される。代表的な外部ネットワーク20の例は、インターネットであるが、外部ネットワーク20の種類は、特に限定されず、無線通信システム10のオペレータなどによって提供されるプライベートのネットワークでも構わない。
【００３１】
（２）ベアラ及びトンネルの構成
図２は、無線通信システム10において設定されるベアラ及びトンネル（PDNトンネル）の構成を示す。図２に示すように、SGWに相当する機能を提供するCN-UP300と、PGWに相当する機能を提供するCN-UP300との間（S5/S8インタフェース）には、PDNトンネル30が設定される。なお、S5/S8インタフェースは、N9インタフェースと呼ばれてもよい。
【００３２】
本実施形態では、PDNトンネル30は、例えば、GPRS Tunneling Protocol（GTP）に従ったトンネルである。CN-UP300（SGW）とCN-UP300（PGW）との間には、PDNトンネル30を用いてS5/S8ベアラが設定される。
【００３３】
MeNB210とCN-UP300（SGW）との間（S1-Uインタフェース）には、PDNトンネル41（第１トンネル）が設定される。また、SeNB220とCN-UP300（SGW）との間（S1-Uインタフェース）には、PDNトンネル42（第２トンネル）が設定される。なお、S1-Uインタフェースは、NG3インタフェースと呼ばれてもよい。或いは、S1-Uインタフェースは、N3インタフェースと呼ばれてもよい。
【００３４】
PDNトンネル41及びPDNトンネル42も、PDNトンネル30と同様に、GTPに従ったトンネルである。MeNB210とCN-UP300（SGW）との間には、PDNトンネル41を用いてS1ベアラが設定される。また、SeNB220とCN-UP300（SGW）との間には、PDNトンネル42を用いてS1ベアラが設定される。
【００３５】
PDNトンネル41には、トンネル・エンドポイント識別子51（以下、TEID51）及びトンネル・エンドポイント識別子52（以下、TEID52）が設定される。TEID51は、PDNトンネル41のCN-UP300側のエンドポイントを識別する。TEID52は、PDNトンネル41のMeNB210側のエンドポイントを識別する。
【００３６】
同様に、PDNトンネル42には、TEID53及びTEID54が設定される。TEID53は、PDNトンネル42のCN-UP300側のエンドポイントを識別する。TEID54は、PDNトンネル42のSeNB220側のエンドポイントを識別する。
【００３７】
TEID51〜TEID54には、それぞれ固有の識別子を設定することができるが、本実施形態では、TEID51及びTEID53には、同一の識別子（本実施形態では、便宜上TEID=1とする）が設定される。つまり、本実施形態では、PDNトンネル41のCN-UP300（ネットワーク装置）側のTEID51（第１トンネル・エンドポイント識別子）と、PDNトンネル42のCN-UP300側のTEID53（第２トンネル・エンドポイント識別子）とに同一の識別子（TEID=1）が設定される。
【００３８】
TEID52及びTEID54には、固有の識別子が設定される。例えば、TEID52には、TEID=xが設定され、TEID54には、TEID=yが設定される。
【００３９】
また、UE100とMeNB210との間、及びUE100とSeNB220との間には、データ無線ベアラ（DRB）がそれぞれ設定される。具体的には、UE100とMeNB210との間には、MCGベアラが設定され、UE100とSeNB220との間には、SCGベアラが設定される。
【００４０】
無線通信システム10において設定されるベアラ（EPSベアラ（NGSベアラ））は、DRBとコアネットワークベアラとを含む。具体的には、コアネットワークベアラは、S1ベアラとS5/S8ベアラとを含む。なお、EPSベアラは、NGSベアラと呼ばれてもよい。
【００４１】
DRB及びコアネットワークベアラには、それぞれ固有の識別子（Bearer ID）を設定することができるが、本実施形態では、DRB及びコアネットワークベアラに対して同一の識別子（ここでは、便宜上Bearer ID=aaaとする）が設定される。つまり、本実施形態では、ベアラ（EPSベアラ）に単一の識別子（Bearer ID）が設定される。なお、Bearer IDは、PDU session IDと呼ばれてもよい。
【００４２】
無線通信システム10では、上述したEPSベアラ、つまり、同一のBearer IDが設定されたEPSベアラを用いて複数のIPフロー61, 62がスケジューリングされる。具体的には、IPフロー61, 62は、EPSベアラを介して伝送される。
【００４３】
図２では、下り方向のIPフローが示されている。以下、本実施形態では、主に下り方向のIPフローの処理について説明する。
【００４４】
外部ネットワーク20を経由してCN-UP300に到着した下り方向のIPパケット（DL packets）は、無線通信システム10内でのプロトコルに従った処理が実行され、IPフローとして伝送される。
【００４５】
IPフロー61の種別と、IPフロー62の種別とは異なっている。具体的には、IPフロー61の無線通信システム10における取扱いの優先度と、IPフロー62の当該優先度とは、異なっている。つまり、無線通信システム10では、EPSベアラを介して伝送されるIPフローの優先度を示すフロー優先度識別子（FPI）を用いた優先制御が実行される。なお、FPIは、QoS Flow Identity（QFI）と呼ばれてもよい。
【００４６】
具体的には、IPフロー61及びIPフロー62には、それぞれ異なるFPIが付与される。ここでは、IPフロー61には、優先度が高いFPI=1が付与され、IPフロー62には、FPI=1よりも優先度が低いFPI=2が付与される。
【００４７】
IPフロー61（FPI=1）は、MeNB210及びCN-CP400の制御に基づいてCN-UP300において、PDNトンネル41にスケジューリング、つまり、振り分けられる。一方、IPフロー62（FPI=2）は、CN-UP300において、PDNトンネル42に振り分けられる。
【００４８】
図３は、EPSベアラ（NGSベアラ）の構成の表現例を示す。具体的には、図３は、図２に示したような単一のBearer IDが設定されるEPSベアラ（NGSベアラ）の構成を示している。図３の例では、優先度が異なる３つのFPI（FPI1, FPI2, FPI3）が規定されている。なお、EPSベアラ（NGSベアラ）は、PDU sessionと呼ばれてもよい。
【００４９】
図３に示すように、NGSベアラは、２つのNG3トンネル（図２に示したPDNトンネル41, 42と対応）を有する（図３の#leg 1, leg 2の部分参照）。また、NG3 SGW TEID（図２に示したTEID51, 53に相当）には同一の識別子（例えば、上述したようにTEID=1）が設定される。
【００５０】
#leg 1のNG3トンネルには、FPI=1, 2のIPフローがスケジューリングされる。#leg 2のNG3トンネルには、FPI=3のIPフローがスケジューリングされる。
【００５１】
また、本実施形態では、DRBとFPIとは、１対１で対応付けられている。具体的には、に図３に示すように、DRB1にはFPI=1が対応付けられ、DRB2にはFPI=2が対応付けられ、DRB3にはFPI=3が対応付けられる。なお、DRB1〜3は、MeNB210またはSeNB220の何れかを経由して設定されるデータ無線ベアラ（MCGベアラまたはSCGベアラ）である。
【００５２】
（３）無線通信システムの機能ブロック構成
次に、無線通信システム10の機能ブロック構成について説明する。具体的には、MeNB210、SeNB220及びCN-UP300の機能ブロック構成について説明する。
【００５３】
（３．１）MeNB210
図４は、MeNB210の機能ブロック構成図である。図４に示すように、MeNB210は、トンネル設定部211、ベアラ制御部213、ベアラ設定部215及び通信制御部217を備える。
【００５４】
トンネル設定部211は、PDNトンネル41（図２参照）を設定する。具体的には、トンネル設定部211は、ベアラ制御部213からの要求に基づいて、TEID51及びTEID52を有するPDNトンネル41を設定する。
【００５５】
ベアラ制御部213は、MeNB210及びSeNB220を経由して設定されるベアラの設定及び削除を制御する。具体的には、ベアラ制御部213は、CN-CP400からベアラ（EPSベアラ）の設定要求を受信する。ベアラ制御部213は、当該設定要求に基づいてベアラ設定指示をCN-CP400に送信する。
【００５６】
より具体的には、ベアラ制御部213は、E-RAB setup request（設定要求）を受信し、E-RAB setup response（ベアラ設定指示）を送信する。E-RAB setup responseは、PDNトンネル41及びPDNトンネル42を用いたEPSベアラを設定することを示し、Bearer ID及びTEIDが含まれる。
【００５７】
また、ベアラ制御部213は、SeNB220を経由するEPSベアラの設定を制御する。具体的には、ベアラ制御部213は、PDNトンネル42のTEID53及びTEID54を決定し、PDNトンネル42を用いたS1ベアラ及びDRB（SCGベアラ）の設定をSeNB220に指示する。
【００５８】
ベアラ設定部215は、ベアラ制御部213による制御に基づいて、MeNB210を経由するEPSベアラを設定する。
【００５９】
具体的には、ベアラ設定部215は、PDNトンネル41を用いてS1ベアラを設定する。さらに、ベアラ設定部215は、DRB（MCGベアラ）及び設定した当該S1ベアラを含むEPSベアラを設定する。
【００６０】
ベアラ設定部215は、上述したように、DRB及びS1ベアラに対して同一の識別子を設定する。具体的には、ベアラ設定部215は、設定したEPSベアラのBearer IDとして同一の識別子（aaa）を設定する。
【００６１】
通信制御部217は、MeNB210とCN-UP300との間における通信を制御する。具体的には、通信制御部217は、トンネル設定部211及びベアラ設定部215からの指示に基づいて、PDNトンネル41、及びPDNトンネル41を用いたEPSベアラの設定、及び当該ベアラを経由したIPフローの制御を実行する。
【００６２】
また、通信制御部217は、SeNB220による通信を制御する。具体的には、通信制御部217は、ベアラ制御部213からの指示に基づいて、SeNB220に対してPDNトンネル42の設定、及びPDNトンネル42を用いたS1ベアラ及びDRB（SCGベアラ）の設定に必要な通信（後述するSeNB additionなど）を制御する。
【００６３】
（３．２）SeNB220
図５は、SeNB220の機能ブロック構成図である。図５に示すように、SeNB220は、トンネル設定部221及び通信制御部223を備える。
【００６４】
トンネル設定部221は、PDNトンネル42を設定する。具体的には、トンネル設定部221は、MeNB210からの指示に基づいて、PDNトンネル42を設定するとともに、TEID53及びTEID54を設定する。
【００６５】
通信制御部223は、MeNB210からの指示に基づいて、SeNB220における通信を制御する。具体的には、通信制御部223は、PDNトンネル42を用いたS1ベアラ及びDRB（SCGベアラ）の設定、及び当該ベアラを経由したIPフローの制御を実行する。
【００６６】
（３．３）CN-UP300
図６は、CN-UP300の機能ブロック構成図である。図６に示すように、CN-UP300は、トンネル設定部310、ベアラ設定部320及び通信制御部330を備える。図２に示したように、CN-UP300は、SGW及びPGWに相当する機能（装置）によって構成されてもよい。または、SGWとPGWに相当する機能を１つの装置で実現してもよい。
【００６７】
トンネル設定部310は、PDNトンネル41及びPDNトンネル42を設定する。また、CN-UP300は、CN-UP300（SGW）とCN-UP300（PGW）との間にPDNトンネル30を設定する。なお、SGWとPGWに相当する機能が１つの装置で実現される場合、PDNトンネル30は設定されていなくても構わない。
【００６８】
具体的には、トンネル設定部310は、CN-CP400から送信されたSession Modification Request（ベアラ設定指示）に基づいて、PDNトンネル41（第１トンネル）及びPDNトンネル42（第２トンネル）を設定する。本実施形態では、MeNB210が送信するE-RAB setup response、及びCN-CP400が送信するSession Modification Requestがベアラ設定指示に相当する。
【００６９】
トンネル設定部310は、PDNトンネル41のCN-UP300側のTEID（第１トンネル・エンドポイント識別子）であるTEID51と、PDNトンネル42のCN-UP300側のTEID（第２トンネル・エンドポイント識別子）であるTEID53とに、同一の識別子（TEID=1）を設定する。
【００７０】
ベアラ設定部320は、MeNB210及びCN-CP400からの指示に基づいてEPSベアラを設定する。具体的には、ベアラ設定部320は、PDNトンネル41及びPDNトンネル42を含むEPSベアラを設定する。上述したように、ベアラ設定部320は、当該EPSベアラのBearer IDとして同一の識別子（aaa）を設定する。
【００７１】
通信制御部330は、MeNB210とCN-UP300との間における通信、SeNB220とCN-UP300との間における通信、及びCN-UP300（SGW）とCN-UP300（PGW）との間における通信を制御する。
【００７２】
具体的には、通信制御部330は、PDNトンネル41及びPDNトンネル42に対して、FPI（フロー優先度識別子）が異なるIPフローをそれぞれスケジューリングする。具体的には、通信制御部330は、PDNトンネル30を用いたS5/S8ベアラを経由して受信した下り方向のIPフローを、PDNトンネル41またはPDNトンネル42にスケジューリングする。
【００７３】
なお、SGWとPGWに相当する機能が１つの装置で実現される場合、通信制御部330は、PDNトンネル30を用いたS5/S8ベアラの経由することなく、受信した下り方向のIPフローを、PDNトンネル41またはPDNトンネル42にスケジューリングする。
【００７４】
より具体的には、通信制御部330は、PDNトンネル41を用いたS1ベアラには、FPI=1が付与されたIPフロー61をスケジューリングする。さらに、通信制御部330は、PDNトンネル42を用いたS1ベアラには、FPI=2が付与されたIPフロー62をスケジューリングする。
【００７５】
なお、通信制御部330は、他のFPIが付与されたIPフローについても、PDNトンネル41またはPDNトンネル42の何れかにスケジューリングする。
【００７６】
（４）無線通信システムの動作
次に、上述した無線通信システム10の動作について説明する。具体的には、無線通信システム10におけるEPSベアラ（NGSベアラ）の設定、PDNトンネルの追加、及びPDNトンネルの削除に関する動作について説明する。
【００７７】
（４．１）基本シーケンス
図７は、無線通信システム10においてEPSベアラを設定する基本シーケンスを示す。図７に示す基本シーケンスは、制御プレーン（Cプレーン）をベースとしている。Cプレーンをベースとするとは、無線基地局（MeNB210）が、Cプレーン上でのメッセージをトリガーとして設定動作を開始することを意味する。
【００７８】
基本シーケンスは、UE100の無線アクセスネットワークへのアタッチなど、PDNトンネルが全く設定されていない状態において適用される。
【００７９】
図７に示すように、VPLMNに設けられたCN-CP400は、Session Establishment RequestをCN-UP300に送信するとともに、Create Session RequestをHPLMNに設けられたCN-CP410に送信し、セッションを確立する（S1〜S3）。
【００８０】
ここで、Session Establishment Requestには、複数のFPI（FPI=1, 2）に対応するEPSベアラ（E-RAB）を設定する必要があることを示す情報、CN-UP300側のPDNトンネルのTEID値（TEID=1）、及び当該EPSベアラのID（Bearer ID=aaa）が含まれる。また、Create Session Requestにも当該Bearer IDが含まれる。
【００８１】
なお、具体的なFPIの設定内容については、例えば、UE100の加入者プロファイルを参照することによって決定する。
【００８２】
CN-CP400は、E-RAB setup requestをMeNB210に送信し、SeNB220とDual Connectivity（DC）を実行するために必要な設定を実行する（S4〜S8）。なお、E-RAB setup requestは、N2 PDU session requestと呼ばれてもよい。
【００８３】
具体的には、CN-CP400は、E-RAB setup requestを用いて、同一のBearer ID（Bearer ID=aaa）を当該EPSベアラに設定することを要求する。また、CN-CP400は、E-RAB setup requestを用いて、複数のFPI（FPI=1, 2）が存在すること、及びCN-UP300側のPDNトンネルに設定されるTEIDの値（TEID=1）を通知する。
【００８４】
MeNB210は、S5〜S8のシーケンスにおいて、E-RAB setup requestに基づいて、FPI=1のIPフロー61（図２参照）及びFPI=2のIPフロー62と対応するDRBを設定する。具体的には、IPフロー61がスケジューリングされるMCGベアラ、及びIPフロー62が割り当てられるSCGベアラを設定する。また、MeNB210は、PDNトンネル41（図２参照）及びPDNトンネル42を用いて、それぞれS1ベアラを設定する。
【００８５】
MeNB210は、上述した設定が完了すると、E-RAB setup responseをCN-CP400に送信する（S9）。E-RAB setup responseには、当該EPSベアラのBearer ID、FPI=1のIPフロー61がスケジューリングされるTEID52の値（TEID=x）、及びFPI=2のIPフロー62がスケジューリングされるTEID54の値（TEID=y）が含まれる。なお、E-RAB setup responseは、N2 PDU session request ACKと呼ばれてもよい（以下同）。
【００８６】
CN-CP400は、受信したE-RAB setup responseに基づいて、Session Modification RequestをCN-UP300に送信する（S10）。Session Modification Requestには、E-RAB setup responseと同様に、Bearer ID及びTEID（x, y）が含まれる。
【００８７】
CN-UP300は、受信したSession Modification Requestに基づいて、EPSベアラを設定する。具体的には、CN-UP300は、PDNトンネル41及びPDNトンネル42を用いて、EPSベアラを設定する。当該EPSベアラは、上述したように、DRB、S1ベアラ及びS5/S8ベアラを含むが、当該EPSベアラには、同一のBearer ID（aaa）が設定される。
【００８８】
この結果、図２に示したようなPDNトンネルを用いたEPSベアラが確立され、当該EPSベアラを経由して、下り方向のIPパケットがIPフローとしてUE100に送信される（S11）。
【００８９】
（４．２）トンネルの追加
次に、EPSベアラが設定された状態において、PDNトンネルを追加する場合におけるシーケンスについて説明する。
【００９０】
具体的には、EPSベアラが設定されている状態において、さらに、SeNB220とCN-UP300との間に、新たなFPI（FPI=3）用のPDNトンネルを追加するシーケンスについて説明する。本シーケンスも制御プレーン（Cプレーン）をベースとしている。
【００９１】
（４．２．１）コアネットワーク主導による追加
図８は、コアネットワーク主導によってPDNトンネルを追加するシーケンスを示す。図８に示すように、CN-CP400は、CN-CP410からModify Bearer Requestを受信し、E-RAB setup requestをMeNB210に送信する（S0, S1）。Modify Bearer Request及びE-RAB setup requestには、Bearer ID（aaa）及びFPI=3のIPフローがスケジューリングされるPDNトンネルのCN-UP300側のTEIDの値（TEID=1）が含まれる。
【００９２】
MeNB210は、受信したE-RAB setup requestに基づいて、IPフローがスケジューリングされるPDNトンネルを設定する（S2〜S5）。
【００９３】
ここでは、MeNB210は、MeNB210に終端されるPDNトンネル41（MeNB210側のTEID=x）にFPI=1,2のIPフローがスケジューリングされている状態において、SeNB220に終端されるPDNトンネル42（SeNB220のTEID=y）を新たに設定し、PDNトンネル42にFPI=3のIPフローをスケジューリングすると決定する。
【００９４】
このように、MeNB210は、PDNトンネルとFPIとの対応付け、つまり、SeNB220を経由するDRB及びS1ベアラを用いるか否かを決定できる。なお、PDNトンネルとFPI=3のIPフローとの対応付けが決定されるまでの間、FPI=3のIPフローを受信した場合には、CN-UP300は、予め指定されているデフォルトのDRB（例えば、MCGベアラ）及びS1ベアラに、当該IPフローをスケジューリングしてもよい。
【００９５】
MeNB210は、図７に示した基本シーケンスと概ね同様の処理を実行し、E-RAB setup responseをCN-CP400に送信する（S6）。その後、基本シーケンスと同様に、Session Modification RequestがCN-UP300に送信され、新たなPDNトンネル（PDNトンネル42）とFPI（FPI=3）との対応付けに基づいて、下り方向のIPパケットがIPフローとしてUE100に送信される（S6b, 6c及びS8）。
【００９６】
（４．２．２）無線アクセスネットワーク主導による追加
図９は、無線アクセスネットワーク主導によってPDNトンネルを追加するシーケンスを示す。本シーケンスでは、無線アクセスネットワーク、具体的には、MeNB210が、FPI=3のIPフローのスケジューリングが必要なことを検出し、新たなFPI（FPI=3）用のPDNトンネルを追加する。ここでは、SeNB220に終端されるPDNトンネル42（SeNB220のTEID=y）を新たに設定し、PDNトンネル42にFPI=3のIPフローをスケジューリングすると決定する。
【００９７】
図９に示すように、MeNB210は、SeNB220を経由したDRB（SCGベアラ）、PDNトンネル42、及びPDNトンネル42を用いたS1ベアラの設定を実行する（S1〜S7）。具体的には、MeNB210は、UE100によるDual Connectivity（DC）を実行するため、UE100及びSeNB220とコマンドを送受信する。
【００９８】
より具体的には、MeNB210は、SeNB220の追加に関するコマンドをSeNB220と送受信する（S1, S2, S5, S7）するとともに、DCを実行するために無線リソース制御（RRC）レイヤでのコマンドをUE100と送受信する（S3, S4）。
【００９９】
また、UE100は、MeNB210からの制御に基づいて、SeNB220とランダムアクセス（RA）手順を実行する（S6）。
【０１００】
MeNB210は、S7までのシーケンスが完了すると、FPI=3のIPフローをSeNB220に転送する（S8）。
【０１０１】
SeNB220は、既存のPath Update procedure（図９の枠内）に基づいて、PDNトンネル42、及びPDNトンネル42を用いたS1ベアラを設定する（S9〜S12）。なお、E-RAB Modification Indication/Confirmationは、PDU sessionの呼称を用いた別の名称で呼ばれてもよい。
【０１０２】
S12までのシーケンスが完了すると、新たなPDNトンネル（PDNトンネル42）とFPI（FPI=3）との対応付けに基づいて、下り方向のIPパケットがIPフローとしてUE100に送信される（S13）。
【０１０３】
なお、CN-UP300側のTEIDは維持されるため、E-RAB Modification Confirmationには、CN-UP300側のTEID（TEID=1）を含める必要はない。
【０１０４】
（４．３）トンネルの削除
次に、EPSベアラが設定された状態において、PDNトンネルを削除する場合におけるシーケンスについて説明する。
【０１０５】
具体的には、SeNB220とCN-UP300との間に、FPI=3用のPDNトンネル（PDNトンネル42）が設定されている状態において、当該PDNトンネルを削除し、FPI=3のIPフローをFPI=1, 2用のPDNトンネル（PDNトンネル41）に統合するシーケンスについて説明する。本シーケンスも制御プレーン（Cプレーン）をベースとしている。
【０１０６】
（４．３．１）無線アクセスネットワーク主導による削除
図１０は、無線アクセスネットワーク主導によってPDNトンネルを削除するシーケンスを示す。図１０に示すシーケンスは、図９に示したPDNトンネルを追加するシーケンスと類似している。図１０に示すシーケンスでは、PDNトンネルの削除であるため、SeNB Addition Request/SeNB Addition Request Acknowledgeではなく、SeNB Modification Request/SeNB Modification Request Acknowledgeが送受信される。
【０１０７】
このように、各装置が送受信するコマンドは、PDNトンネルを追加するシーケンスと同様であるが、本シーケンスでは、SeNB220を解除することによって、Dual Connectivity（DC）が中止される（S1〜S7）。当面はSeNB220からMeNB210へのData Forwardingが行われるが（S8）、End Marker Packetの転送を以ってこのData Forwardingも中止される（S11）。
【０１０８】
また、PDNトンネルを追加するシーケンスとコマンドの内容が異なっており、TEID=xが設定されたPDNトンネル、つまり、PDNトンネル41に全てのFPI（FPI=1〜3）のIPフローがスケジューリングされることが示される（S9, S10）。
【０１０９】
（４．３．２）コアネットワーク主導による削除
図１１は、コアネットワーク主導によってPDNトンネルを削除するシーケンスを示す。コアネットワーク主導によってPDNトンネルを削除する場合、S1-APレイヤのコマンドが用いられる（図１１の枠内参照）。
【０１１０】
図１１に示すように、CN-CP400は、S1-APレイヤのコマンドであるE-RAB RELEASE COMMANDを用いて、FPI=3用のPDNトンネル（PDNトンネル42）の削除をMeNB210に要求する（S1）。
【０１１１】
E-RAB RELEASE COMMANDには、PDNトンネルを削除すべきベアラのID（Bearer ID）及び削除理由が含まれる。なお、E-RAB RELEASE COMMANDは、N2 Resource release requestと呼ばれてもよい。
【０１１２】
MeNB210は、RRCレイヤにおいて、UE100とSeNB220とのDRB（SCGベアラ）を削除する処理を実行する（S2）。なお、図示されていないが、MeNB210は、SeNB220と当該DRB（SCGベアラ）を削除する処理を実行する。
【０１１３】
また、MeNB210は、S1-APレイヤのコマンドであるE-RAB RELEASE COMPLETEをCN-CP400に送信する（S3）。
【０１１４】
E-RAB RELEASE COMPLETEには、PDNトンネルを削除したベアラのID（Bearer ID）を含む（PDNトンネルの削除の成功時及び失敗時）。また、E-RAB RELEASE COMPLETEには、失敗理由が含まれる（PDNトンネルの削除失敗時）。なお、E-RAB RELEASE COMPLETEは、N2 Resource release ACKと呼ばれてもよい。
【０１１５】
CN-CP400は、PDNトンネルが削除されたこと、及び、FPI=3のIPフローをFPI=1, 2用のPDNトンネル（PDNトンネル41）に統合されたことをCN-UP300に通知する（S4）。その後、CN-UP300は、当該通知に基づいて、PDNトンネル42の削除などを実行する。
【０１１６】
（４．４）変更例
上述した図８及び図９に示したシーケンスは、制御プレーン（Cプレーン）をベースとしていたが、ユーザプレーン（Uプレーン）をベースにしてPDNトンネルを追加してもよい。
【０１１７】
図１２は、コアネットワーク主導によってPDNトンネルを追加するシーケンス（ユーザプレーンベース）を示す。図１２に示すように、MeNB210がユーザプレーンのパケットを受信することによりシーケンスが起動される（S0）。S1〜S8のシーケンスは、図９に示した無線アクセスネットワーク主導によってPDNトンネルを追加するシーケンスと同様である。
【０１１８】
また、S9〜S12に示すシーケンスも図９と同様であるが、E-RAB Modification Indication及びBearer Modificationの内容が異なる。これにより、Path Update procedure、つまり、Uプレーンをベースとしたコアネットワーク主導によるPDNトンネルの追加を実現する。
【０１１９】
具体的には、E-RAB Modification Indication及びBearer Modificationに、追加するFPI（FPI=3）及びPDNトンネル42のSeNB220のTEIDを含める。
【０１２０】
（５）作用・効果
上述した実施形態によれば、以下の作用効果が得られる。具体的には、MeNB210のベアラ制御部213は、ベアラ（EPSベアラ）の設定要求（例えば、E-RAB setup request）に基づいて、PDNトンネル41及びPDNトンネル42を用いたEPSベアラ（NGSベアラ）を設定するベアラ設定指示（E-RAB setup response）をCN-CP400に送信し、CN-CP400は、E-RAB setup responseに基づいてSession Modification Request（ベアラ設定指示）をCN-UP300に送信する。
【０１２１】
また、CN-UP300のトンネル設定部310は、ベアラ設定指示に基づいてPDNトンネル41及びPDNトンネル42を設定する。その際、トンネル設定部310は、PDNトンネル41のCN-UP300（ネットワーク装置）側のTEID51（第１トンネル・エンドポイント識別子）と、PDNトンネル42のCN-UP300側のTEID53（第２トンネル・エンドポイント識別子）とに同一の識別子（TEID=1）を設定する。
【０１２２】
このため、本実施形態のように、IPフローベースのQoS制御が導入され、従来のベアラベースのQoS制御のように、データ無線ベアラ（DRB）とコアネットワークベアラ（S1ベアラ及びS5/S8ベアラ）との１対１の対応付けが存在しない場合でも、CN-UP300側のTEID51及びTEID53に同一の値が設定される。これにより、CN-CP400は、Dual Connectivity（DC）が開始されるか不明な場合でも、SeNB220と設定されるPDNトンネル42のTEID53の値をMeNB210に効率的に通知することができる。
【０１２３】
すなわち、無線通信システム10によれば、TEID53の値をMeNB210に通知するための追加手順が必要なく、DCを実行する場合でもシーケンスが複雑化することがない。つまり、無線通信システム10によれば、フローベースのQoS制御でも、シーケンスを複雑化することなく、DCを実現し得る。
【０１２４】
本実施形態では、MeNB210のベアラ設定部215は、データ無線ベアラ（DRB）とコアネットワークベアラ（S1ベアラ及びS5/S8ベアラ）に対して同一の識別子を設定する。つまり、当該DRB、S1ベアラ及びS5/S8ベアラによって構成されるEPSベアラには、単一の識別子（Bearer ID=aaa）が設定される。
【０１２５】
このため、上述したTEIDと同様に、CN-CP400は、Dual Connectivity（DC）が開始されるか不明な場合でも、Bearer IDの値をMeNB210に効率的に通知することができる。
【０１２６】
さらに、本実施形態のようにフローベースのQoS制御の場合、従来のベアラベースのQoS制御のように、データ無線ベアラ（DRB）とコアネットワークベアラ（S1ベアラ及びS5/S8ベアラ）との１対１の対応付けは不要であり、複数のEPSベアラを識別する必要性は低い。より具体的には、フローベースのQoS制御の場合、FPIの値と対応付けられたPDNトンネル及びDRB（MCGベアラまたはSCGベアラ）にIPフローがスケジューリングされるため、複数のEPSベアラを識別する必要性は低い。
【０１２７】
本実施形態では、無線通信システム10（具体的には、同一のCN-CP400が管理する装置によって構成されるネットワークの範囲）において、単一の識別子（Bearer ID）を設定することによって、既存のベアラの管理スキーム（設定・削除のシーケンスなど）を継続して利用しつつ、フローベースのQoS制御に対応し得る。
【０１２８】
本実施形態では、CN-UP300の通信制御部330は、PDNトンネル41及びPDNトンネル42に対して、FPIが異なるIPフローをそれぞれスケジューリングすることができる。例えば、PDNトンネル41には、FPI=1のIPフロー（IPフロー61）がスケジューリングされ、PDNトンネル42には、FPI=2のIPフロー（IPフロー62）がスケジューリングされる。
【０１２９】
このため、FPIの値によって用いられるPDNトンネルを異ならせることができる。これにより、優先度が高いIPフローをより確実に処理できる可能性を高め得る。
【０１３０】
（６）その他の実施形態
以上、実施形態に沿って本発明の内容を説明したが、本発明はこれらの記載に限定されるものではなく、種々の変形及び改良が可能であることは、当業者には自明である。
【０１３１】
例えば、上述した実施形態では、CN-UP300側のTEID51及びTEID53に同一の値が設定されるとともに、DRB、S1ベアラ及びS5/S8ベアラによって構成されるEPSベアラには、単一の識別子（Bearer ID=aaa）が設定されていたが、このうち、Bearer IDには、必ずしも単一の識別子が設定されていなくても構わない。或いは、Bearer IDに単一の識別子を設定し、TEID51及びTEID53に同一の値を設定しなくてもよい。
【０１３２】
上述した実施形態では、CN-CP及びCN-UPの名称が用いられていたが、CN-CPは、移動管理エンティティ（MME）など、CN-UPは、SGW/PGWなどの別の名称で呼ばれても構わない。CN-CPとCN-UPとの機能分担の詳細によっては、HPLMN側のCN-CPはCN-UPと置き換えても構わない。
【０１３３】
また、上述した実施形態の説明に用いたブロック図（図４〜６）は、機能ブロック図を示している。これらの機能ブロック（構成部）は、ハードウェア及び／またはソフトウェアの任意の組み合わせによって実現される。また、各機能ブロックの実現手段は特に限定されない。すなわち、各機能ブロックは、物理的及び／または論理的に結合した１つの装置により実現されてもよいし、物理的及び／または論理的に分離した２つ以上の装置を直接的及び／または間接的に（例えば、有線及び／または無線）で接続し、これら複数の装置により実現されてもよい。
【０１３４】
さらに、上述したMeNB210、SeNB220及びCN-UP300は、本発明の無線通信方法の処理を行うコンピュータとして機能してもよい。図１３は、MeNB210、SeNB220及びCN-UP300のハードウェア構成の一例を示す図である。図１３に示すように、MeNB210、SeNB220及びCN-UP300は、プロセッサ1001、メモリ1002、ストレージ1003、通信装置1004、入力装置1005、出力装置1006及びバス1007などを含むコンピュータ装置として構成されてもよい。
【０１３５】
MeNB210、SeNB220及びCN-UP300各機能ブロック（図４〜６参照）は、当該コンピュータ装置の何れかのハードウェア要素、または当該ハードウェア要素の組み合わせによって実現される。
【０１３６】
プロセッサ1001は、例えば、オペレーティングシステムを動作させてコンピュータ全体を制御する。プロセッサ1001は、周辺装置とのインタフェース、制御装置、演算装置、レジスタなどを含む中央処理装置（CPU）で構成されてもよい。
【０１３７】
メモリ1002は、コンピュータ読み取り可能な記録媒体であり、例えば、ROM（Read Only Memory）、EPROM（Erasable Programmable ROM）、EEPROM（Electrically Erasable Programmable ROM）、RAM（Random Access Memory）などの少なくとも１つで構成されてもよい。メモリ1002は、レジスタ、キャッシュ、メインメモリ（主記憶装置）などと呼ばれてもよい。メモリ1002は、上述した実施形態に係る方法を実行可能なプログラム（プログラムコード）、ソフトウェアモジュールなどを保存することができる。
【０１３８】
ストレージ1003は、コンピュータ読み取り可能な記録媒体であり、例えば、CD-ROM（Compact Disc ROM）などの光ディスク、ハードディスクドライブ、フレキシブルディスク、光磁気ディスク（例えば、コンパクトディスク、デジタル多用途ディスク、Blu-ray（登録商標）ディスク）、スマートカード、フラッシュメモリ（例えば、カード、スティック、キードライブ）、フロッピー（登録商標）ディスク、磁気ストリップなどの少なくとも１つで構成されてもよい。ストレージ1003は、補助記憶装置と呼ばれてもよい。上述の記録媒体は、例えば、メモリ1002及び／またはストレージ1003を含むデータベース、サーバその他の適切な媒体であってもよい。
【０１３９】
通信装置1004は、有線及び／または無線ネットワークを介してコンピュータ間の通信を行うためのハードウェア（送受信デバイス）であり、例えばネットワークデバイス、ネットワークコントローラ、ネットワークカード、通信モジュールなどともいう。
【０１４０】
入力装置1005は、外部からの入力を受け付ける入力デバイス（例えば、キーボード、マウス、マイクロフォン、スイッチ、ボタン、センサなど）である。出力装置1006は、外部への出力を実施する出力デバイス（例えば、ディスプレイ、スピーカー、LEDランプなど）である。なお、入力装置1005及び出力装置1006は、一体となった構成（例えば、タッチパネル）であってもよい。
【０１４１】
また、プロセッサ1001及びメモリ1002などの各装置は、情報を通信するためのバス1007で接続される。バス1007は、単一のバスで構成されてもよいし、装置間で異なるバスで構成されてもよい。
【０１４２】
また、情報の通知は、上述した実施形態に限られず、他の方法で行われてもよい。例えば、情報の通知は、物理レイヤシグナリング（例えば、DCI（Downlink Control Information）、UCI（Uplink Control Information））、上位レイヤシグナリング（例えば、RRCシグナリング、MAC（Medium Access Control）シグナリング、報知情報（MIB（Master Information Block）、SIB（System Information Block））、その他の信号またはこれらの組み合わせによって実施されてもよい。また、RRCシグナリングは、RRCメッセージと呼ばれてもよく、例えば、RRC Connection Setupメッセージ、RRC Connection Reconfigurationメッセージなどであってもよい。
【０１４３】
さらに、入出力された情報は、特定の場所（例えば、メモリ）に保存されてもよいし、管理テーブルで管理してもよい。入出力される情報は、上書き、更新、または追記され得る。出力された情報は削除されてもよい。入力された情報は他の装置へ送信されてもよい。
【０１４４】
上述した実施形態におけるシーケンス及びフローチャートなどは、矛盾の無い限り、順序を入れ替えてもよい。
【０１４５】
また、上述した実施形態において、MeNB210、SeNB220及びCN-UP300によって行われるとした特定動作は、他のネットワークノード（装置）によって行われることもある。また、複数の他のネットワークノードの組み合わせによってMeNB210、SeNB220またはCN-UP300の機能が提供されても構わない。
【０１４６】
なお、本明細書で説明した用語及び／または本明細書の理解に必要な用語については、同一のまたは類似する意味を有する用語と置き換えてもよい。例えば、該当する記載がある場合、チャネル及び／またはシンボルは信号（シグナル）であってもよい。また、信号はメッセージであってもよい。また、「システム」及び「ネットワーク」という用語は、互換的に使用されてもよい。
【０１４７】
さらに、パラメータなどは、絶対値で表されてもよいし、所定の値からの相対値で表されてもよいし、対応する別の情報で表されてもよい。例えば、無線リソースはインデックスで指示されるものであってもよい。
【０１４８】
MeNB210及びSeNB220（基地局）は、１つまたは複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局RRH：Remote Radio Head）によって通信サービスを提供することもできる。
【０１４９】
「セル」または「セクタ」という用語は、このカバレッジにおいて通信サービスを行う基地局、及び／または基地局サブシステムのカバレッジエリアの一部または全体を指す。さらに、「基地局」「eNB」、「セル」、及び「セクタ」という用語は、本明細書では互換的に使用され得る。基地局は、固定局（fixed station）、NodeB、eNodeB（eNB）、アクセスポイント（access point）、フェムトセル、スモールセルなどの用語で呼ばれる場合もある。
【０１５０】
UE100は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【０１５１】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１５２】
また、「含む（including）」、「含んでいる（comprising）」、及びそれらの変形の用語は、「備える」と同様に、包括的であることが意図される。さらに、本明細書或いは特許請求の範囲において使用されている用語「または（or）」は、排他的論理和ではないことが意図される。
【０１５３】
本明細書で使用した「第１」、「第２」などの呼称を使用した要素へのいかなる参照も、それらの要素の量または順序を全般的に限定するものではない。これらの呼称は、２つ以上の要素間を区別する便利な方法として本明細書で使用され得る。したがって、第１及び第２の要素への参照は、２つの要素のみがそこで採用され得ること、または何らかの形で第１の要素が第２の要素に先行しなければならないことを意味しない。
【０１５４】
本明細書の全体において、例えば、英語でのa, an, 及びtheのように、翻訳により冠詞が追加された場合、これらの冠詞は、文脈から明らかにそうではないことが示されていなければ、複数のものを含むものとする。
【０１５５】
上記のように、本発明の実施形態を記載したが、この開示の一部をなす論述及び図面はこの発明を限定するものであると理解すべきではない。この開示から当業者には様々な代替実施の形態、実施例及び運用技術が明らかとなろう。
【産業上の利用可能性】
【０１５６】
上述した無線通信システム、ネットワーク装置及び無線通信方法によれば、フローベースのQoS制御でも、シーケンスを複雑化することなく、Dual Connectivity（DC）を実現し得る。
【符号の説明】
【０１５７】
10  無線通信システム
20  外部ネットワーク
30  PDNトンネル
41, 42  PDNトンネル
51〜54  TEID
61, 62  IPフロー
100  UE
210  MeNB
211  トンネル設定部
213  ベアラ設定指示部
215  ベアラ設定部
217  通信制御部
220  SeNB
221  トンネル設定部
223  通信制御部
300  CN-UP
310  トンネル設定部
320  ベアラ設定部
330  通信制御部
400, 410  CN-CP
1001  プロセッサ
1002  メモリ
1003  ストレージ
1004  通信装置
1005  入力装置
1006  出力装置
1007  バス
【図１】
2018066702.tif 000003
【図２】
2018066702.tif 000004
【図３】
2018066702.tif 000005
【図４】
2018066702.tif 000006
【図５】
2018066702.tif 000007
【図６】
2018066702.tif 000008
【図７】
2018066702.tif 000009
【図８】
2018066702.tif 000010
【図９】
2018066702.tif 000011
【図１０】
2018066702.tif 000012
【図１１】
2018066702.tif 000013
【図１２】
2018066702.tif 000014
【図１３】
2018066702.tif 000015
【手続補正書】
【提出日】平成30年8月7日(2018.8.7)
【手続補正１】
【補正対象書類名】特許請求の範囲
【補正対象項目名】全文
【補正方法】変更
【補正の内容】
【特許請求の範囲】
【請求項１】
ユーザ装置と無線通信を実行するとともに、前記ユーザ装置とセカンダリ無線基地局との無線通信を制御するマスター無線基地局と、
前記マスター無線基地局との第１トンネル、及び前記セカンダリ無線基地局との第２トンネルを含むＰＤＵセッションを設定するネットワーク装置とを含む無線通信システムであって、
前記マスター無線基地局は、前記ＰＤＵセッションの設定要求を受信し、前記設定要求に基づいて、前記第１トンネル及び前記第２トンネルを用いた前記ＰＤＵセッションを設定する設定指示を送信する制御部を備え、
前記ネットワーク装置は、前記設定指示に基づいて、前記第１トンネルの前記ネットワーク装置側の第１トンネル・エンドポイント識別子と、前記第２トンネルの前記ネットワーク装置側の第２トンネル・エンドポイント識別子とに同一の識別子を設定するトンネル設定部を備える無線通信システム。
【請求項２】
前記ＰＤＵセッションは、
前記ユーザ装置と前記マスター無線基地局との間、及び前記ユーザ装置と前記セカンダリ無線基地局との間において設定されるデータ無線ベアラと、
前記マスター無線基地局と前記ネットワーク装置との間、及び前記セカンダリ無線基地局と前記ネットワーク装置との間において設定されるコアネットワークベアラとを少なくとも含み、
前記マスター無線基地局は、前記データ無線ベアラ及び前記コアネットワークベアラに対して同一の識別子を設定するベアラ設定部を備える請求項１に記載の無線通信システム。
【請求項３】
前記無線通信システムでは、前記ＰＤＵセッションを介して伝送されるＩＰフローの優先度を示すフロー優先度識別子を用いた優先制御が実行され、
前記ネットワーク装置は、前記第１トンネル及び前記第２トンネルに対して、前記フロー優先度識別子が異なる前記ＩＰフローをそれぞれスケジューリングする通信制御部を備える請求項１に記載の無線通信システム。
【請求項４】
ユーザ装置と無線通信を実行するとともに、前記ユーザ装置とセカンダリ無線基地局との無線通信を制御するマスター無線基地局との第１トンネル、及び前記セカンダリ無線基地局との第２トンネルを含むＰＤＵセッションを設定するネットワーク装置であって、
前記第１トンネル及び前記第２トンネルを用いた前記ＰＤＵセッションを設定する設定指示に基づいて、前記第１トンネルの前記ネットワーク装置側の第１トンネル・エンドポイント識別子と、前記第２トンネルの前記ネットワーク装置側の第２トンネル・エンドポイント識別子とに同一の識別子を設定するトンネル設定部を備えるネットワーク装置。
【請求項５】
ユーザ装置と無線通信を実行するとともに、前記ユーザ装置とセカンダリ無線基地局との無線通信を制御するマスター無線基地局と、
前記マスター無線基地局との第１トンネル、及び前記セカンダリ無線基地局との第２トンネルを含むＰＤＵセッションを設定するネットワーク装置とを用いた無線通信方法であって、
前記マスター無線基地局が、前記ＰＤＵセッションの設定要求を受信し、前記設定要求に基づいて、前記第１トンネル及び前記第２トンネルを用いた前記ＰＤＵセッションを設定する設定指示を送信するステップと、
前記ネットワーク装置が、前記設定指示に基づいて、前記第１トンネルの前記ネットワーク装置側の第１トンネル・エンドポイント識別子と、前記第２トンネルの前記ネットワーク装置側の第２トンネル・エンドポイント識別子とに同一の識別子を設定するステップと
を含む無線通信方法。
【国際調査報告】
2018066702.tif 000016
2018066702.tif 000017
2018066702.tif 000018
2018066702.tif 000019